(57)【要約】【課題】動物の臀部に装着される糞キャッチャーポケットと動物の前記臀部より前方の部位に装着される固定部材とを連結する連結部材（紐体）が他の部分に絡まらない（その結果、手間なく装着できる）動物用糞袋装着具を提供する。【解決手段】動物が排泄する糞を収容する糞袋が取り付けられる内部空間を備え、前記動物の臀部に装着される糞キャッチャーポケット４０と、前記動物の前記臀部より前方の部位に装着される固定部材２０と、前記糞キャッチャーポケット４０と前記固定部材２０とを連結する連結部材であって、前記糞キャッチャーポケット４０に連結される紐体３２と、前記固定部材２０に設けられ、前記紐体３２の巻き取りとその巻き取られた前記紐体３２の引き出しが可能なリール本体３４と、を備えた少なくとも１つの連結部材３０Ａ〜３０Ｃと、を備える動物用糞袋装着具１０であることを特徴とする。【選択図】図１
2017184703.tif 000002
【特許請求の範囲】
【請求項１】
動物が排泄する糞を収容する糞袋が取り付けられる内部空間を備え、前記動物の臀部に装着される糞キャッチャーポケットと、
前記動物の前記臀部より前方の部位に装着される固定部材と、
前記糞キャッチャーポケットと前記固定部材とを連結する連結部材であって、前記糞キャッチャーポケットに連結される紐体と、前記固定部材に設けられ、前記紐体の巻き取りとその巻き取られた前記紐体の引き出しが可能なリール本体と、を備えた少なくとも１つの連結部材と、を備える動物用糞袋装着具。
【請求項２】
動物が排泄する糞を収容する糞袋が取り付けられる内部空間を備え、前記動物の臀部に装着される糞キャッチャーポケットと、
前記動物の前記臀部より前方の部位に装着される固定部材と、
前記糞キャッチャーポケットと前記固定部材とを連結する連結部材であって、前記固定部材に連結される紐体と、前記糞キャッチャーポケットに設けられ、前記紐体の巻き取りとその巻き取られた前記紐体の引き出しが可能なリール本体と、を備えた少なくとも１つの連結部材と、を備える動物用糞袋装着具。
【請求項３】
前記糞キャッチャーポケットは、その上部開口が前記動物の肛門より下方に位置した状態で前記動物の臀部に装着される請求項１又は２に記載の動物用糞袋装着具。
【請求項４】
前記糞袋は、前記糞キャッチャーポケットの内部空間に沿った形態で取り付けられる請求項３に記載の動物用糞袋装着具。
【請求項５】
前記固定部材は、前記動物に装着される首輪、胴輪、又は衣服に設けられる請求項１から４のいずれか１項に記載の動物用糞袋装着具。
【請求項６】
紐体と、前記紐体の巻き取りとその巻き取られた前記紐体の引き出しが可能なリール本体と、を含む少なくとも１つの連結部材を備え、動物の臀部より前方の部位に装着される固定部材と組み合わせて用いられる糞キャッチャーポケットであって、
前記動物が排泄する糞を収容する糞袋が取り付けられる内部空間と、前記リール本体から引き出された前記紐体が連結される紐体連結部と、を備え、前記動物の臀部に装着される糞キャッチャーポケット。
【請求項７】
動物が排泄する糞を収容する糞袋が取り付けられる内部空間を備え、前記動物の臀部に装着される糞キャッチャーポケットと組み合わせて用いられる固定部材であって、
前記糞キャッチャーポケットに連結される紐体と、前記紐体の巻き取りとその巻き取られた前記紐体の引き出しが可能なリール本体と、を含む少なくとも１つの連結部材を備え、前記動物の前記臀部より前方の部位に装着される固定部材。
【請求項８】
動物の臀部より前方の部位に装着される固定部材と組み合わせて用いられる糞キャッチャーポケットであって、
紐体と、前記紐体の巻き取りとその巻き取られた前記紐体の引き出しが可能なリール本体と、を含む少なくとも１つの連結部材と、前記動物が排泄する糞を収容する糞袋が取り付けられる内部空間と、を備え、前記動物の臀部に装着される糞キャッチャーポケット。
【請求項９】
紐体と、前記紐体の巻き取りとその巻き取られた前記紐体の引き出しが可能なリール本体と、を含む少なくとも１つの連結部材と、動物が排泄する糞を収容する糞袋が取り付けられる内部空間と、を備え、前記動物の臀部に装着される糞キャッチャーポケットと組み合わせて用いられる固定部材であって、
前記リール本体から引き出された前記紐体が連結される紐体連結部を備え、前記動物の前記臀部より前方の部位に装着される固定部材。
【発明の詳細な説明】
【技術分野】
【０００１】  本発明は、動物用糞袋装着具、糞キャッチャーポケット、及び固定部材に関し、特に、動物の臀部に装着される糞キャッチャーポケットと動物の前記臀部より前方の部位に装着される固定部材とを連結する連結部材（紐体）が他の部分に絡まらない（その結果、手間なく装着できる）動物用糞袋装着具、糞キャッチャーポケット、及び固定部材に関する。
【背景技術】
【０００２】  従来、動物（例えば、犬）が排泄する糞を回収する動物用糞袋装着具（動物用排泄物回収装置）が提案されている（例えば、特許文献１参照）。【０００３】  この特許文献１に記載の動物用糞袋装着具は、動物の胴後部に装着される胴後部当て部材と、前記動物の前記胴後部より前方の部位に装着される前部締め帯部と、前記胴後部当て部材と前記前部締め帯部とを連結する連結部材であって、動物の背骨に沿って配置される連結部材（伸縮性のあるゴム部材からなる背骨伸縮帯部）と、動物が排泄する糞を収容する糞袋（袋体）を備え、前記胴後部当て部材に取り付けられる糞キャッチャーポケット（尻当て支持体）と、を備えて構成される。
【先行技術文献】
【特許文献】
【０００４】
【特許文献１】特開２００２−１４２５９４号公報
【発明の概要】
【発明が解決しようとする課題】
【０００５】  しかしながら、上記特許文献１に記載の動物用糞袋装着具においては、胴後部当て部材と前部締め帯部とを連結する連結部材（伸縮性のあるゴム部材からなる背骨伸縮帯部）が他の部分（例えば、胴後部当て部材を装着する際に用いられる紐体（バックル体、及び受穴片）や前部締め帯部を装着する際に用いられる紐体（締帯））に絡まりやすく、動物用糞袋装着具の装着に手間がかかるという課題がある。【０００６】  本発明は、上記事情に鑑みてなされたものであり、動物の臀部に装着される糞キャッチャーポケットと動物の前記臀部より前方の部位に装着される固定部材とを連結する連結部材（紐体）が他の部分に絡まらない（その結果、手間なく装着できる）動物用糞袋装着具を提供することを目的とする。
【課題を解決するための手段】
【０００７】  上記目的を達成するために、本発明の一つの側面は、動物が排泄する糞を収容する糞袋が取り付けられる内部空間を備え、前記動物の臀部に装着される糞キャッチャーポケットと、前記動物の前記臀部より前方の部位に装着される固定部材と、前記糞キャッチャーポケットと前記固定部材とを連結する連結部材であって、前記糞キャッチャーポケットに連結される紐体と、前記固定部材に設けられ、前記紐体の巻き取りとその巻き取られた前記紐体の引き出しが可能なリール本体と、を備えた少なくとも１つの連結部材と、を備える動物用糞袋装着具であることを特徴とする。【０００８】  この側面によれば、動物の臀部に装着される糞キャッチャーポケットと動物の前記臀部より前方の部位に装着される固定部材とを連結する連結部材（紐体）が他の部分に絡まらない（その結果、手間なく装着できる）動物用糞袋装着具を提供することができる。【０００９】  これは、動物用糞袋装着具を動物に装着する際に、連結部材の紐体がリール本体に収納された状態から直線的に引き出されて糞キャッチャーポケットに連結されることによるものである。また、動物用糞袋装着具を動物から取り外す際に、連結部材の紐体が巻き取られてリール本体に収納されることによるものである。【００１０】  また、上記目的を達成するため、本発明の別の側面は、動物が排泄する糞を収容する糞袋が取り付けられる内部空間を備え、前記動物の臀部に装着される糞キャッチャーポケットと、前記動物の前記臀部より前方の部位に装着される固定部材と、前記糞キャッチャーポケットと前記固定部材とを連結する連結部材であって、前記固定部材に連結される紐体と、前記糞キャッチャーポケットに設けられ、前記紐体の巻き取りとその巻き取られた前記紐体の引き出しが可能なリール本体と、を備えた少なくとも１つの連結部材と、を備える動物用糞袋装着具であることを特徴とする。【００１１】  この側面によれば、動物の臀部に装着される糞キャッチャーポケットと動物の前記臀部より前方の部位に装着される固定部材とを連結する連結部材（紐体）が他の部分に絡まらない（その結果、手間なく装着できる）動物用糞袋装着具を提供することができる。【００１２】  これは、動物用糞袋装着具を動物に装着する際に、連結部材の紐体がリール本体に収納された状態から直線的に引き出されて糞キャッチャーポケットに連結されることによるものである。また、動物用糞袋装着具を動物から取り外す際に、連結部材の紐体が巻き取られてリール本体に収納されることによるものである。【００１３】  また、上記発明において、好ましい態様は、前記糞キャッチャーポケットは、その上部開口が前記動物の肛門より下方に位置した状態で前記動物の臀部に装着されることを特徴とする。【００１４】  この態様によれば、犬が排泄し、自然落下する糞を糞袋内に確実に収容することができる。【００１５】  また、上記発明において、好ましい態様は、前記糞袋は、前記糞キャッチャーポケットの内部空間に沿った形態で取り付けられることを特徴とする。【００１６】  この態様によれば、犬が排泄し、自然落下する糞を、糞袋によって阻害されることなく、糞袋内に確実に収容することができる。【００１７】  これは��糞キャッチャーポケットが、その上部開口が動物の肛門より下方に位置した状態で動物の臀部に装着されること、そして、糞袋が、糞キャッチャーポケットの内部空間に沿った形態で取り付けられること、によるものである。【００１８】  また、上記発明において、好ましい態様は、前記固定部材は、前記動物に装着される首輪、胴輪、又は衣服に設けられることを特徴とする。【００１９】  この態様によれば、首輪、胴輪、又は衣服を動物に装着するだけで、固定部材を動物の臀部より前方の部位に装着することができる。【００２０】  また、上記目的を達成するため、本発明の別の側面は、紐体と、前記紐体の巻き取りとその巻き取られた前記紐体の引き出しが可能なリール本体と、を含む少なくとも１つの連結部材を備え、動物の臀部より前方の部位に装着される固定部材と組み合わせて用いられる糞キャッチャーポケットであって、前記動物が排泄する糞を収容する糞袋が取り付けられる内部空間と、前記リール本体から引き出された前記紐体が連結される紐体連結部と、を備え、前記動物の臀部に装着される糞キャッチャーポケットであることを特徴とする。【００２１】  この側面によれば、連結部材（紐体）を連結することで手間なく、動物の臀部に装着することができる糞キャッチャーポケットを提供することができる。【００２２】  また、上記目的を達成するため、本発明の別の側面は、動物が排泄する糞を収容する糞袋が取り付けられる内部空間を備え、前記動物の臀部に装着される糞キャッチャーポケットと組み合わせて用いられる固定部材であって、前記糞キャッチャーポケットに連結される紐体と、前記紐体の巻き取りとその巻き取られた前記紐体の引き出しが可能なリール本体と、を含む少なくとも１つの連結部材を備え、前記動物の前記臀部より前方の部位に装着される固定部材であることを特徴とする。【００２３】  この側面によれば、連結部材（紐体）を連結することで手間なく、糞キャッチャーポケットを動物の臀部に装着することができる固定部材を提供することができる。【００２４】  また、上記目的を達成するため、本発明の別の側面は、動物の臀部より前方の部位に装着される固定部材と組み合わせて用いられる糞キャッチャーポケットであって、紐体と、前記紐体の巻き取りとその巻き取られた前記紐体の引き出しが可能なリール本体と、を含む少なくとも１つの連結部材と、前記動物が排泄する糞を収容する糞袋が取り付けられる内部空間と、を備え、前記動物の臀部に装着される糞キャッチャーポケットであることを特徴とする。【００２５】  この側面によれば、連結部材（紐体）を連結することで手間なく、動物の臀部に装着することができる糞キャッチャーポケットを提供することができる。【００２６】  また、上記目的を達成するため、本発明の別の側面は、紐体と、前記紐体の巻き取りとその巻き取られた前記紐体の引き出しが可能なリール本体と、を含む少なくとも１つの連結部材と、動物が排泄する糞を収容する糞袋が取り付けられる内部空間と、を備え、前記動物の臀部に装着される糞キャッチャーポケットと組み合わせて用いられる固定部材であって、前記リール本体から引き出された前記紐体が連結される紐体連結部を備え、前記動物の前記臀部��り前方の部位に装着される固定部材であることを特徴とする。【００２７】  この側面によれば、連結部材（紐体）を連結することで手間なく、糞キャッチャーポケットを動物の臀部に装着することができる固定部材を提供することができる。
【発明の効果】
【００２８】  本発明によれば、動物の臀部に装着される糞キャッチャーポケットと動物の前記臀部より前方の部位に装着される固定部材とを連結する連結部材（紐体）が他の部分に絡まらない（その結果、手間なく装着できる）動物用糞袋装着具を提供することができる。
【図面の簡単な説明】
【００２９】
【図１】  動物用糞袋装着具１０の構成図である。
【図２】  固定部材２０の斜視図である。
【図３】  各連結部材３０Ａ〜３０Ｃ（リール本体３４）から紐体３２を引き出した状態の固定部材２０の斜視図である。
【図４】  糞キャッチャーポケット４０の斜視図である。
【図５】  糞キャッチャーポケット４０の斜視図である。
【図６】  糞袋６０が取り付けられた状態の糞キャッチャーポケット４０の斜視図である。
【図７】  糞袋６０が取り付けられた状態の糞キャッチャーポケット４０の斜視図である。
【図８】  犬の排便時の動物用糞袋装着具１０の作用について説明するための図である。
【発明を実施するための形態】
【００３０】  以下、本発明の一実施形態である動物用糞袋装着具１０について添付図面を参照しながら説明する。各図において対応する構成要素には同一の符号が付され、重複する説明は省略される。
【００３１】  図１は、動物用糞袋装着具１０の構成図である。以下、動物用糞袋装着具１０が装着される動物が犬である例について説明する。
【００３２】  図１に示すように、動物用糞袋装着具１０は、犬用糞袋装着具で、固定部材２０と、連結部材３０（３０Ａ〜３０Ｃ）と、糞キャッチャーポケット４０と、を備える。
【００３３】  図２は固定部材２０の斜視図、図３は各連結部材３０Ａ〜３０Ｃ（リール本体３４）から紐体３２を引き出した状態の固定部材２０の斜視図である。
【００３４】  図２に示すように、固定部材２０は、犬に装着される胴輪７０に設けられており、当該胴輪７０を犬に装着することで（図１参照）、犬の臀部より前方の部位（図１中、犬の背中前部を例示）に装着される。固定部材２０は、糞キャッチャーポケット４０と組み合わせて用いられる。固定部材２０の材質や形状は特に限定されないが、軽量で柔軟な素材が望ましい。
【００３５】  固定部材２０には、図２に示すように、左右に配置された連結部材３０Ａ、３０Ｂ（リール本体３４）と、連結部材３０Ａ、３０Ｂの間に配置された連結部材３０Ｃ（リール本体３４）と、が設けられる。各連結部材３０Ａ〜３０Ｃ（リール本体３４）は、例えば、二つ折りされた固定部材２０としての布状部材の間に、その二つ折りされた折り目部２０ａに設けられた開口２０ｂから紐体３２が引き出された状態で設けられる。もちろん、これに限らず、各連結部材３０Ａ〜３０Ｃ（リール本体３４）は、ネジや接着剤等の他の手段で固定部材２０に設けてもよい。
【００３６】  各連結部材３０Ａ〜３０Ｃは、糞キャッチャーポケット４０と固定部材２０とを連結するための手段で、糞キャッチャーポケット４０に連結される紐体３２と、紐体３２の巻き取りとその巻き取られた紐体３２の引き出しが可能なリール本体３４と、を含む。
【００３７】  具体的には、各連結部材３０Ａ〜３０Ｃは、リール本体３４と、支軸回りで回転するリール（図示せず）と、このリールを巻き取り方向に付勢するばね手段（図示せず）と、一端がリール本体３４側に固定されるとともに他端がリール本体３４に設けられた開口から外部に引き出される紐体３２と、を備える。
【００３８】  左右に配置された連結部材３０Ａ、３０Ｂの紐体３２の他端には、糞キャッチャーポケット４０（各紐体４６Ａ、４６Ｂに設けられた紐体連結部４４）に連結（係合）される係合部材３６が設けられ、また、連結部材３０Ａ、３０Ｂの間に配置された連結部材３０Ｃの紐体３２の他端には、糞キャッチャーポケット４０（各カバー部５０Ａ、５０Ｂに設けられた紐体連結部４８）に連結（係合）される係合部材３８が設けられる。
【００３９】  各連結部材３０Ａ〜３０Ｃの紐体３２は、固定部材２０（リール本体３４）に対して係合部材３６、３８を引くことで、ばね手段に抗してリール本体３４から引き出され（図３参照）、また、ばね手段の復元力により、その巻き取りが実現される（図２参照）。なお、紐体３２の材質や形状（断面形状）は特に問わず、帯状の紐であってもよい。
【００４０】  図４、図５は糞キャッチャーポケット４０の斜視図、図６、図７は糞袋６０が取り付けられた状態の糞キャッチャーポケット４０の斜視図である。
【００４１】  図４〜図７に示すように、糞キャッチャーポケット４０は、糞キャッチャーポケット本体４２と、紐体４６Ａ、４６Ｂと、カバー部５０と、糞袋取付部５２と、を備える。糞キャッチャーポケット４０は、固定部材２０と組み合わせて用いられる。糞キャッチャーポケット４０の材質や形状は特に限定されないが、軽量で柔軟な素材が望ましい。
【００４２】  糞キャッチャーポケット本体４２は、犬が排泄する糞を収容する糞袋６０が上部開口４２ａを介して取り付けられる内部空間４２ｂを備えた容器である（図５等参照）。
【００４３】  紐体４６Ａ、４６Ｂは、一端が糞キャッチャーポケット本体４２に固定されるとともに他端に、左右に配置された連結部材３０Ａ、３０Ｂ（リール本体３４）から引き出された紐体３２（係合部材３６）が連結される紐体連結部４４が設けられる。なお、紐体４６Ａ、４６Ｂの材質や形状（断面形状）は特に問わず、帯状の紐であってもよい。
【００４４】  カバー部５０は、下端縁が糞キャッチャーポケット本体４２（上部開口４２ａのうち後側縁部）に固定される（図５等参照）とともに、犬の臀部中央から腰左側にかけての範囲を覆う左カバー部５０Ａと、犬の臀部中央から腰右側にかけての範囲を覆う右カバー部５０Ｂと、左カバー部５０Ａと右カバー部５０Ｂとの間に設けられたＵ字状の凹部５０Ｃと、を含む。
【００４５】  各カバー部５０Ａ、５０Ｂには、連結部材３０Ａ、３０Ｂの間に配置された連結部材３０Ｃ（リール本体３４）から引き出された紐体３２（係合部材３８）が連結される紐体連結部４８が設けられる。紐体連結部４８は、各カバー部５０Ａ、５０Ｂの上部、かつ、凹部５０Ｃ寄りの位置に設けられる。
【００４６】  糞袋取付部５２は、糞袋６０を糞キャッチャーポケット本体４２に取り付けるための手段で、例えば、糞キャッチャーポケット本体４２、及びカバー部５０（内側面及び外側面）に設けられたクリップ部によって構成される。
【００４７】  糞袋６０は、図６、図７に示すように、糞袋取付部５２によって、糞キャッチャーポケット４０（糞キャッチャーポケット本体４２）の内部空間４２ｂ（内壁）に沿った形態で取り付けられる。糞袋６０の材質や形状は特に限定されないが、例えば、ビニール袋や紙袋を用いることができる。
【００４８】  次に、動物用糞袋装着具１０の使用方法の一例について説明する。
【００４９】  まず、胴輪７０を犬に装着することで（図１参照）、固定部材２０を、犬の臀部より前方の部位（図１中、背中前部を例示）に装着する。
【００５０】  次に、犬の尻尾がカバー部５０の凹部５０Ｃ内に位置するとともに、カバー部５０（各カバー部５０Ａ、５０Ｂ）が犬の臀部中央から腰左右両側にかけての範囲を覆うように糞キャッチャーポケット４０を犬の臀部にあてがい、この状態で、左カバー部５０Ａに設けられた紐体連結部４８と右カバー部５０Ｂに設けられた紐体連結部４８とを近づける。
【００５１】  そして、連結部材３０Ａ、３０Ｂの間に配置された連結部材３０Ｃ（リール本体３４）から紐体３２を引き出し、その紐体３２（係合部材３８）を糞キャッチャーポケット４０（各カバー部５０Ａ、５０Ｂに設けられた紐体連結部４８）に連結する（図１参照）。これにより、凹部５０Ｃ、及び係合部材３８が犬の尻尾を取り囲んだ状態となる。その際、連結部材３０Ａ、３０Ｂの間に配置された連結部材３０Ｃの紐体３２がリール本体３４に収納された状態から直線的に引き出されて糞キャッチャーポケット４０に連結されるため、当該紐体３２が他の部分に絡まることがない。
【００５２】  次に、糞キャッチャーポケット４０の紐体４６Ａ、４６Ｂを、犬の後脚の内側を通して脇腹辺りまで引き寄せるとともに、左右に配置された連結部材３０Ａ、３０Ｂ（リール本体３４）から紐体３２を引き出し、その紐体３２（係合部材３６）を糞キャッチャーポケット４０（各紐体４６Ａ、４６Ｂに設けられた紐体連結部４４）に連結する（図１参照）。その際、左右に配置された連結部材３０Ａ、３０Ｂの紐体３２がリール本体３４に収納された状態から直線的に引き出されて糞キャッチャーポケット４０に連結されるため、当該紐体３２が他の部分に絡まることがない。
【００５３】  以上のようにして、糞キャッチャーポケット４０は、犬の臀部に装着される。その際、ばね手段の復元力によって各連結部材３０Ａ〜３０Ｃの紐体３２に張力が作用し、この張力によって糞キャッチャーポケット４０が犬側に引き寄せられるため、犬の姿勢にかかわらず、糞キャッチャーポケット４０は、犬の臀部に密着した状態でしっかりと装着される。これにより、糞キャッチャーポケット４０の位置ズレが防止される。
【００５４】  なお、犬の動きに追従して、各連結部材３０Ａ〜３０Ｃの紐体３２がリール本体３４から引き出され、あるいは、巻き取られるため、各連結部材３０Ａ〜３０Ｃが犬の動きを拘束することがない。
【００５５】  図８は、犬の排便時の動物用糞袋装着具１０の作用について説明するための図である。
【００５６】  図８に示すように、動物用糞袋装着具１０を装着した犬が排便時の姿勢をとった場合、糞キャッチャーポケット４０（糞キャッチャーポケット本体４２）の上部開口４２ａは犬の肛門より下方に位置する。そして、糞袋６０は、糞袋取付部５２によって、糞キャッチャーポケット４０（糞キャッチャーポケット本体４２）の内部空間４２ｂ（内壁）に沿った形態で取り付けられているため（図６、図７参照）、犬が排泄する糞は、糞袋６０によって阻害されることなく、自然落下して糞袋６０内に確実に収容される。
【００５７】  なお、糞キャッチャーポケット４０は、排便後、犬の臀部に装着したままであってもよいが、取り外してもよい。糞キャッチャーポケット４０は、その装着時と逆の手順で取り外すことができる。その際、糞キャッチャーポケット４０から取り外された各連結部材３０Ａ〜３０Ｃの紐体３２がばね手段の復元力により、自動的に直線的に巻き取られてリール本体３４に収納されるため、当該紐体３２が他の部分に絡まることがない。
【００５８】  以上説明したように、本実施形態によれば、犬の臀部に装着される糞キャッチャーポケット４０と犬の臀部より前方の部位（図１中、犬の背中前部を例示）に装着される固定部材２０とを連結する連結部材３０（紐体３２）が他の部分に絡まらない（その結果、手間なく装着できる）動物用糞袋装着具１０を提供することができる。
【００５９】  これは、動物用糞袋装着具１０を犬に装着する際に、各連結部材３０Ａ〜３０Ｃの紐体３２がリール本体３４に収納された状態から直線的に引き出されて糞キャッチャーポケット４０に連結されることによるものである。また、動物用糞袋装着具１０を犬から取り外す際に、各連結部材３０Ａ〜３０Ｃの紐体３２がばね手段の復元力により、自動的に直線的に巻き取られてリール本体３４に収納されることによるものである。
【００６０】  また、本実施形態によれば、各連結部材３０Ａ〜３０Ｃの紐体３２をリール本体３４に収納された状態から直線的に引き出して糞キャッチャーポケット４０に連結するだけで、動物用糞袋装着具１０を犬に装着できるため、犬がじっとせず、激しく動く場合であっても、動物用糞袋装着具１０を手間なく装着することができる
【００６１】  また、本実施形態によれば、犬が排泄し、自然落下する糞を、糞袋６０によって阻害されることなく、糞袋６０内に確実に収容することができる。
【００６２】  これは、糞キャッチャーポケット４０（糞キャッチャーポケット本体４２）が、その上部開口４２ａが（排便時の姿勢をとった）犬の肛門より下方に位置した状態で犬の臀部に装着されること、そして、糞袋６０が、糞キャッチャーポケット４０（糞キャッチャーポケット本体４２）の内部空間４２ｂ（内壁）に沿った形態で取り付けられること、によるものである。
【００６３】  また、本実施形態によれば、胴輪７０を犬に装着するだけで、固定部材２０を犬の臀部より前方の部位（図１中、犬の背中前部を例示）に装着することができる。
【００６４】  また、本実施形態によれば、各連結部材３０Ａ〜３０Ｃ（紐体３２）を連結することで手間なく、犬の臀部に装着することができる糞キャッチャーポケット４０を提供することができる。
【００６５】  また、本実施形態によれば、各連結部材３０Ａ〜３０Ｃ（紐体３２）を連結することで手間なく、糞キャッチャーポケット４０を犬の臀部に装着することができる固定部材２０を提供することができる。
【００６６】  また、本実施形態によれば、犬の体格やサイズに応じて、各連結部材３０Ａ〜３０Ｃの紐体３２がリール本体３４から引き出され、あるいは、巻き取られ、各連結部材３０Ａ〜３０Ｃの紐体３２が自動的に犬の体格やサイズに適した長さに調整されるため、人がサイズ調整を行うことなく、動物用糞袋装着具１０を、体格やサイズの違う犬に装着することができるという利点もある。
【００６７】  また、本実施形態によれば、犬から糞キャッチャーポケット４０を取り外した場合（すなわち、糞キャッチャーポケット４０から各連結部材３０Ａ〜３０Ｃの紐体３２を取り外した場合）、その紐体３２が自動的に巻き取られてリール本体３４に収納されて一か所にまとまるため、各連結部材３０Ａ〜３０Ｃの紐体３２が残された状態とならず、見栄えがよい動物用糞袋装着具１０を提供することができる。
【００６８】  また、本実施形態によれば、各連結部材３０Ａ〜３０Ｃの紐体３２が自動的に巻き取られてリール本体３４に収納されて一か所にまとまるため、動物用糞袋装着具１０の持ち運びや保管がしやすいという利点もある。
【００６９】  次に、変形例について説明する。
【００７０】  上記実施形態では、動物用糞袋装着具１０が装着される動物が犬である例について説明したが、これに限らず、動物用糞袋装着具１０が装着される動物は、犬以外の動物であってもよい。
【００７１】  また、上記実施形態では、連結部材として、３つの連結部材３０Ａ〜３０Ｃを用いた例について説明したが、これに限らず、連結部材として、１又は２、あるいは４以上の連結部材を用いてもよい。
【００７２】  また、上記実施形態では、固定部材２０を、犬に装着される胴輪７０に設けた例について説明したが、これに限らず、固定部材２０を、犬に装着される胴輪７０以外の首輪や衣服等の装着具に設けてもよい。
【００７３】  また、上記実施形態では、各連結部材３０Ａ〜３０Ｃを固定部材２０に設け、各連結部材３０Ａ〜３０Ｃから引き出された紐体３２を糞キャッチャーポケット４０に連結する例について説明したが、これに限らない。例えば、これとは逆に、各連結部材３０Ａ〜３０Ｃを糞キャッチャーポケット４０に設け、各連結部材３０Ａ〜３０Ｃから引き出された紐体３２を固定部材２０に連結してもよい。
【００７４】  また、上記実施形態では、左右に配置された連結部材３０Ａ、３０Ｂの紐体３２（係合部材３６）を、糞キャッチャーポケット４０（紐体４６Ａ、４６Ｂ）に設けられた紐体連結部４４に連結し、連結部材３０Ａ、３０Ｂの間に配置された連結部材３０Ｃの紐体３２（係合部材３８）を、糞キャッチャーポケット４０（カバー部５０）に設けられた紐体連結部４８に連結する例について説明したが、これに限らない。すなわち、各連結部材３０Ａ〜３０Ｃの紐体３２（係合部材３６、３８）は、糞キャッチャーポケット４０の任意の箇所に連結してもよい。
【００７５】  上記実施形態はあらゆる点で単なる例示にすぎない。上記実施形態の記載によって本発明は限定的に解釈されるものではない。本発明はその精神または主要な特徴から逸脱することなく他の様々な形で実施することができる。
【符号の説明】
【００７６】  １０…動物用糞袋装着具、２０…固定部材、２０ａ…折り目部、２０ｂ…開口、３０（３０Ａ〜３０Ｃ）…連結部材、３２…紐体、３４…リール本体、３６…係合部材、３８…係合部材、４０…糞キャッチャーポケット、４２…糞キャッチャーポケット本体、４２ａ…上部開口、４２ｂ…内部空間、４４…紐体連結部、４６（４６Ａ、４６Ｂ）…紐体、４８…紐体連結部、５０…カバー部、５０Ａ…左カバー部、５０Ｂ…右カバー部、５０Ｃ…凹部、５２…糞袋取付部、６０…糞袋、７０…胴輪
【図１】
2017184703.tif 000003
【図２】
2017184703.tif 000004
【図３】
2017184703.tif 000005
【図４】
2017184703.tif 000006
【図５】
2017184703.tif 000007
【図６】
2017184703.tif 000008
【図７】
2017184703.tif 000009
【図８】
2017184703.tif 000010
【手続補正書】
【提出日】平成29年2月15日(2017.2.15)
【手続補正１】
【補正対象書類名】特許請求の範囲
【補正対象項目名】全文
【補正方法】変更
【補正の内容】
【特許請求の範囲】
【請求項１】
動物が排泄する糞を収容する糞袋が取り付けられる内部空間を備え、前記動物の臀部に装着される糞キャッチャーポケットと、
前記動物の前記臀部より前方の部位に装着される固定部材と、
前記糞キャッチャーポケットと前記固定部材とを連結する連結部材であって、前記糞キャッチャーポケットに連結される紐体と、前記固定部材に設けられ、前記紐体の巻き取りとその巻き取られた前記紐体の引き出しが可能なリール本体と、を備えた少なくとも１つの連結部材と、を備える動物用糞袋装着具。
【請求項２】
動物が排泄する糞を収容する糞袋が取り付けられる内部空間を備え、前記動物の臀部に装着される糞キャッチャーポケットと、
前記動物の前記臀部より前方の部位に装着される固定部材と、
前記糞キャッチャーポケットと前記固定部材とを連結する連結部材であって、前記固定部材に連結される紐体と、前記糞キャッチャーポケットに設けられ、前記紐体の巻き取りとその巻き取られた前記紐体の引き出しが可能なリール本体と、を備えた少なくとも１つの連結部材と、を備える動物用糞袋装着具。
【請求項３】
前記糞キャッチャーポケットは、その上部開口が前記動物の肛門より下方に位置した状態で前記動物の臀部に装着される請求項１又は２に記載の動物用糞袋装着具。
【請求項４】
前記糞袋は、前記糞キャッチャーポケットの内部空間に沿った形態で取り付けられる請求項３に記載の動物用糞袋装着具。
【請求項５】
前記固定部材は、前記動物に装着される首輪、胴輪、又は衣服に設けられる請求項１から４のいずれか１項に記載の動物用糞袋装着具。
【請求項６】
動物が排泄する糞を収容する糞袋が取り付けられる内部空間を備え、前記動物の臀部に装着される糞キャッチャーポケットと組み合わせて用いられる固定部材であって、
前記糞キャッチャーポケットに連結される紐体と、前記紐体の巻き取りとその巻き取られた前記紐体の引き出しが可能なリール本体と、を含む少なくとも１つの連結部材を備え、前記動物の前記臀部より前方の部位に装着される固定部材。
【請求項７】
動物の臀部より前方の部位に装着される固定部材と組み合わせて用いられる糞キャッチャーポケットであって、
紐体と、前記紐体の巻き取りとその巻き取られた前記紐体の引き出しが可能なリール本体と、を含む少なくとも１つの連結部材と、前記動物が排泄する糞を収容する糞袋が取り付けられる内部空間と、を備え、前記動物の臀部に装着される糞キャッチャーポケット。